(57)【要約】【課題】データの一部を反転する処理を行ったりする必要がなくハードウエア構成が簡単な露光ヘッドを提供する。【解決手段】本発明の露光ヘッドは、複数の発光素子１０２と、それぞれの前記発光素子１０２に接続されると共に互いに独立した複数の導電層１３３、１３４と、複数の発光素子１０２と複数の導電層１３３、１３４とが配置される基板１０１と、基板１０１上で複数の導電層１３３、１３４が重なる箇所を互いに電気絶縁する絶縁層と、基板１０１に配された複数の発光素子１０２から発光される光を結像する負の光学倍率を有する結像光学系１０４と、を有することを特徴とする。【選択図】図４
2010017907.tif 000002
【特許請求の範囲】
【請求項１】
発光素子と、
前記発光素子に接続される導電部と、
前記発光素子及び前記導電部が複数配設される基板と、
前記導電部上に配された絶縁層と、
前記基板に配された複数の前記発光素子から発光される光を結像する負の光学倍率を有する結像光学系と、を有し、
前記導電部は前記絶縁層上に配設されることを特徴とする露光ヘッド。
【請求項２】
前記発光素子に対して設けられ、前記発光素子の点滅制御を行うスイッチング素子を有する請求項１に記載の露光ヘッド。
【請求項３】
発光素子と、
前記発光素子に対して設けられると共に、前記発光素子の点滅制御を行うスイッチング素子と、
前記発光素子と対する前記スイッチング素子との間を導通するようにして設けられる導電部と、
前記発光素子、前記スイッチング素子、及び前記導電部を複数配設した基板と、
前記導電部上に配された絶縁層と、
前記基板に配された複数の前記発光素子から発光される光を結像する負の光学倍率を有する結像光学系と、を有し、
前記絶縁層上に前記配線部を配設することを特徴とする露光ヘッド。
【請求項４】
発光素子と、
前記発光素子対して設けられると共に、前記発光素子の点滅制御を行うスイッチング素子と、
前記スイッチング素子を駆動する駆動回路と、
前記スイッチング素子と前記駆動回路との間を導通するようにして設けられる複数の導電部と、
前記導電部が配設される基板と、
前記導電部上に配された絶縁層と、
前記基板に配された前記発光素子から発光される光を結像する負の光学倍率を有する結像光学系と、を有し、
前記導電部は前記絶縁層上に配設されることを特徴とする露光ヘッド。
【請求項５】
前記発光素子は、有機ＥＬ発光素子である請求項１乃至請求項４のいずれか１項に記載の露光ヘッド。
【請求項６】
潜像担持体と、
請求項１乃至請求項６のいずれか１項に記載の露光ヘッドと、
前記露光ヘッドにより前記潜像担持体に形成された潜像を現像する現像手段と、
前記現像手段により現像された像を転写させる転写手段と、
を有することを特徴とする画像形成装置。
【請求項７】
１ライン分のラスターデータを生成するラスターデータ生成工程と、
前記ラスターデータ生成工程で生成されたラスターデータを複数に分配する分配工程と、前記分配されたラスターデータを順番の入れ替えを行うことなくメモリに格納する格納工程と、
前記格納工程でメモリに格納されたデータに基づいて発光素子を点滅させる発光素子制御
工程と、
前記発光素子制御工程で点滅した発光素子の発光を負の結像光学系によって結像させる結像工程と、を有することを特徴とする画像形成方法。
【請求項８】
１ライン分のデータを複数に分配する分配工程と、
前記分配工程で分配された複数のデータによってラスターデータを生成するラスターデータ生成工程と、
前記ラスターデータ生成工程で生成されたラスターデータを順番の入れ替えを行うことなくメモリに格納する格納工程と、
前記格納工程でメモリに格納されたデータに基づいて発光素子を点滅させる発光素子制御工程と、
前記発光素子制御工程で点滅した発光素子の発光を負の結像光学系によって結像させる結像工程と、を有することを特徴とする画像形成方法。
【発明の詳細な説明】
【技術分野】
【０００１】
本発明は、像担持体に静電潜像を形成する露光ヘッドに関する。また、本発明はそのような露光ヘッドを用いたコピー、プリンタ、ファクシミリ等の電子写真方式の画像形成装置、画像形成方法に関するものである。
【背景技術】
【０００２】
電子写真方式の画像形成装置は、外周面に感光層を有する像担持体としての感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを一般的に有している。
【０００３】
従来、上記のような露光手段としては、半導体レーザやポリゴンミラー、Ｆ−θレンズ等を組み合わせて構成された光学系が用いられていたが、近年は発光素子が複数まとめられた発光体アレイを２次元に配列し、発光素子による発光をレンズによって集光し感光体ドラムに照射する露光ヘッドによって潜像を形成する技術が種々提案されている。例えば、特許文献１（特開２００８―３０２０３号公報）には、複数行の倒立系レンズアレイを用いた露光ヘッドにおいて、像の反転に対応してデータを反転させる技術が開示されている。
【特許文献１】特開２００８―３０２０３号公報
【発明の開示】
【発明が解決しようとする課題】
【０００４】
しかしながら、特許文献１記載のもののように倒立系レンズアレイを用いた露光ヘッドでは、データ反転のために専用の回路が必要となり露光ヘッドあるいは画像形成装置が大きくなるともに、反転動作のために画像データのスループットが遅くなり印刷速度が低下する、という問題があった。
【課題を解決するための手段】
【０００５】
本発明は上記のような課題を解決するものであって、そのために、本発明に係る露光ヘッドは、発光素子と、前記発光素子に接続される導電部と、前記発光素子及び前記導電部が複数配設される基板と、前記導電部上に配された絶縁層と、前記基板に配された複数の前記発光素子から発光される光を結像する負の光学倍率を有する結像光学系と、を有し、前記導電部は前記絶縁層上に配設されることを特徴とする。
【０００６】
また、本発明に係る露光ヘッドは、前記発光素子に対して設けられ、前記発光素子の点滅制御を行うスイッチング素子を有する。
【０００７】
また、本発明に係る露光ヘッドは、発光素子と、前記発光素子に対して設けられると共に、前記発光素子の点滅制御を行うスイッチング素子と、前記発光素子と対する前記スイッチング素子との間を導通するようにして設けられる導電部と、前記発光素子、前記スイッチング素子、及び前記導電部を複数配設した基板と、前記導電部上に配された絶縁層と、前記基板に配された複数の前記発光素子から発光される光を結像する負の光学倍率を有する結像光学系と、を有し、前記絶縁層上に前記配線部を配設することを特徴とする。
【０００８】
また、本発明に係る露光ヘッドは、発光素子と、前記発光素子対して設けられると共に、前記発光素子の点滅制御を行うスイッチング素子と、前記スイッチング素子を駆動する
駆動回路と、前記スイッチング素子と前記駆動回路との間を導通するようにして設けられる複数の導電部と、前記導電部が配設される基板と、前記導電部上に配された絶縁層と、前記基板に配された前記発光素子から発光される光を結像する負の光学倍率を有する結像光学系と、を有し、前記導電部は前記絶縁層上に配設されることを特徴とする。
【０００９】
また、本発明に係る露光ヘッドは、前記発光素子は、有機ＥＬ発光素子である。
【００１０】
また、本発明に係る画像形成装置は、潜像担持体と、前記に記載の露光ヘッドと、前記露光ヘッドにより前記潜像担持体に形成された潜像を現像する現像手段と、前記現像手段により現像された像を転写させる転写手段と、を有することを特徴とする。
【００１１】
また、本発明に係る画像形成方法は、１ライン分のラスターデータを生成するラスターデータ生成工程と、前記ラスターデータ生成工程で生成されたラスターデータを複数に分配する分配工程と、前記分配されたラスターデータを順番の入れ替えを行うことなくメモリに格納する格納工程と、前記格納工程でメモリに格納されたデータに基づいて発光素子を点滅させる発光素子制御工程と、前記発光素子制御工程で点滅した発光素子の発光を負の結像光学系によって結像させる結像工程と、を有することを特徴とする。
【００１２】
また、本発明に係る画像形成方法は、１ライン分のデータを複数に分配する分配工程と、前記分配工程で分配された複数のデータによってラスターデータを生成するラスターデータ生成工程と、前記ラスターデータ生成工程で生成されたラスターデータを順番の入れ替えを行うことなくメモリに格納する格納工程と、前記格納工程でメモリに格納されたデータに基づいて発光素子を点滅させる発光素子制御工程と、前記発光素子制御工程で点滅した発光素子の発光を負の結像光学系によって結像させる結像工程と、を有することを特徴とする。
【００１３】
本発明に係る露光ヘッドによれば、負の光学倍率を有する結像光学系を用い、発光素子の倒立像を形成する露光ヘッドでも、露光ヘッドで扱うデータの順番を一部入れ替える処理を行ったり、データの一部を反転する処理を行ったりする必要がなく、このため、これらの処理を実行するためのハードウエアが不要となる。
【００１４】
また、本発明に係る露光ヘッドによれば、上記のようなデータの入れ替え処理や反転処理が不要となるので、これらの処理を行うための回路部品などのコストを削減することが可能となる。
【００１５】
また、本発明に係る露光ヘッドによれば、上記のようなデータの入れ替え処理や反転処理が不要となるので、これら処理に要する時間を省略することができることとなり、スループットが向上する。
【００１６】
また、本発明に係る画像形成装置によれば、上記のようなデータの入れ替え処理や反転処理が不要となるので、これらの処理を実行するためのハードウエアが不要となり、コストの削減が可能となる。
【００１７】
また、本発明に係る画像形成装置によれば、上記のようなデータの入れ替え処理や反転処理が不要となるので、これら処理に要する時間を省略することができ、印刷速度を向上させることが可能となる。
【００１８】
本発明に係る画像形成方法によれば、上記のようなデータの入れ替え処理や反転処理が不要となるので、画像形成処理を速く実行することが可能となる。
【発明を実施するための最良の形態】
【００１９】
以下、本発明の実施の形態を図面を参照しつつ説明する。図１は本発明の実施の形態に係る露光ヘッドの断面を示す図であり、図２は本発明の実施の形態に係る露光ヘッドにおける発光素子等のレイアウトを示す図である。
【００２０】
図１は実施形態に係る露光ヘッドと感光体ドラムとを中心とした部位を抜き出して示す図であり、図１（Ａ）は感光体ドラムの回転軸の第１方向から当該部位をみた図であり、図１（Ｂ）は第１方向と直交する方向から当該部位をみた図である。また、図２は本発明の実施形態に係る露光ヘッドにおける発光素子と結像光学系などの配置関係を示す図である。
【００２１】
図１及び図２において、１０は像担持体、１００は露光ヘッド、１０１は発光素子基板、１０２は発光素子、１０３は発光素子グループ、１０４は結像光学系、１０５は発光素子行、１０６は結像光学系行、１１０は結像レンズをそれぞれ示している。
【００２２】
露光ヘッド１００は、感光体ドラムなどの像担持体１０の回転軸に沿うように長尺形状をしており、像担持体１０と対向するように配置されるものである。ここで、本明細書においては、像担持体１０の回転軸の方向は第１の方向として定義される。像担持体１０は不図示の駆動装置からギアなどの機構を介して回転駆動力を得て回転するようになっている。また、不図示の帯電手段によって像担持体１０表面は帯電され、これに対して露光ヘッド１００が静電潜像を書き込む構成となっている。
【００２３】
露光ヘッド１００の光源としては、複数の発光素子１０２が発光素子基板１０１上に設けられており、発光素子１０２が選択的に発光される。そして、発光素子１０２からの光が結像光学系１０４によって像担持体１０表面に集光されることによって、像担持体１０表面に所定の静電潜像が書き込まれる。
【００２４】
本実施形態においては、発光素子基板１０１上に設けられる発光素子１０２としては有機ＥＬ素子が用いられる。このような有機ＥＬ素子を用いると、一枚の発光素子基板１０１上に複数の発光素子１０２を作製することが比較的容易であり、発光素子基板を複数枚用いて露光ヘッドを作製しなくてはならないＬＥＤ素子の場合に比べ、調整等が簡単であるというメリットがある。ただ本発明においては、発光素子１０２としてＬＥＤ素子を用いることももちろん可能である。
【００２５】
また、本実施形態においては、結像光学系１０４として一枚の結像レンズ１１０が用いられる構成となっているが、結像光学系１０４として複数枚の結像レンズを用いるようにして、光学的精度を向上させるようにすることも可能である。また、本実施形態においては、例えば、結像レンズ１１０が複数枚配されたレンズアレイなどの光学部品が用いられている。
【００２６】
また、本実施形態においては、結像光学系１０４は負の光学倍率を有する結像光学系が用いられる。このような負の光学倍率を有する光学部品として本実施形態では、マイクロレンズアレイ（ＭＬＡ）として知られているものを用いることができる。
【００２７】
図２に示すように、発光素子基板１０１の発光素子１０２は８個で一つの発光素子グループ１０３を形成しており、この一つの発光素子グループ１０３に属する全ての発光素子１０２の集光・結像を、一つの結像光学系１０４が担うようになっている。ここで、本明細書においては、第１の方向に直交する方向で、像担持体１０表面が移動する方向を第２の方向として定義する。
【００２８】
一つの発光素子グループ１０３中の８個の発光素子１０２は、第１の方向に並んだ４個とこれら４個に対して、第１の方向及び第２の方向にわずかにずれた４個とからなっている。
【００２９】
また発光素子グループ１０３は、第１の方向に沿って複数配列されて発光素子行１０５が構成されている。そして、第１の方向に沿う発光素子グループ１０３に対応するように結像光学系行１０６が形成されている。
【００３０】
発光素子基板１０１上には、第２の方向に発光素子行１０５が２行、第１の方向にわずかずつずれるように設けられる。また、これに対応する形で、図示するように結像光学系行１０６も２行分、第１の方向にわずかずつずれるように設けられる。以上のような配置関係の一連の発光素子グループ１０３の発光によって、像担持体１０上の第１の方向にわたって静電潜像を形成するようになっている。
【００３１】
なお、以上のような発光素子や結像光学系のレイアウトは一実施形態に過ぎず、本発明としては様々なレイアウトを用いることが可能である。
【００３２】
次に、負の光学倍率を有する結像光学系について説明する。本実施形態においては、結像光学系１０４にはマイクロレンズアレイ（ＭＬＡ）が用いられるが、このマイクロレンズアレイ（ＭＬＡ）は、負の光学倍率を有する結像光学系である。図３は負の光学倍率を有する結像光学系による露光を説明する図である。
【００３３】
上述したように露光ヘッド１００においては、４個の発光素子１０２が、第１の方向及び第２の方向にずれるようにして２行分設けられたものが、一つの発光素子グループを形成しており、この発光素子グループに対応して、一つの結像レンズ１１０が設けられ、結像光学系１０４を構成するようになっている。ここで、図に示すようにそれぞれの発光素子に１乃至８の番号を付するとすると、奇数番号の発光素子と、偶数番号の発光素子が互い違いとなるような配置となっている。
【００３４】
本実施形態で用いられる負の光学倍率を有する結像光学系は、図示するような倒立像を形成するものであり、図中Ｒの方向に像担持体１０表面が移動しているものとすると、第１の方向に直線潜像を描画するためには、まず奇数番号の発光素子をあるタイミングで発光させ、像担持体１０表面上に奇数番号の結像スポットを形成する。そして、像担持体１０表面を所定量移動させた後、次に偶数番号の発光素子を発光させて、像担持体１０表面上に偶数番号の結像スポットを形成する。
【００３５】
次に、以上のようなレイアウトを有する発光素子１０２の点滅を制御するための電気的な構成について説明する。図４は本発明の実施の形態に係る露光ヘッド１００における素子間の導電層を示す図である。図４において、１１１、１１２はフレキシブル配線基板、１２１は第１駆動回路、１２２は第２駆動回路、１２３はＴＦＴ素子、１３１、１３２、１３３、１３４は導電層、１４１は電源線、１４２は制御線、１５０は重なり部をそれぞれ示している。なお、図４中において示されている発光素子１０２に対する電気的配線においては、グランド側の共通電極が図示省略されている。以下、駆動回路とＴＦＴ素子と発光素子との間のプラス側の電気配線について中心に説明する。
【００３６】
第１駆動回路１２１はフレキシブル配線基板１１１上に設けられており、導電層１３１によって、発光素子１０２のそれぞれに対応して設けられ、オンオフすることによりそれぞれの発光素子１０２の点滅などの発光を制御するＴＦＴ素子１２３と、導電層１３１で接続されている。ＴＦＴ素子１２３はスイッチング素子として利用されるものである。第１駆動回路１２１はＴＦＴ素子１２３のオンオフを制御するための信号を、この導電層１
３１を介してＴＦＴ素子１２３に入力する。
【００３７】
また、導電層１３３は、発光素子１０２と対応するＴＦＴ素子１２３との間を導通するために設けられているが、本発明に係る露光ヘッド１００においては、発光素子１０２と対応するＴＦＴ素子１２３との間の導電層１３３の一部が重なるように設けられている。図５は本発明の実施の形態に係る露光ヘッドにおける重なり部断面を示す図である。このような導電層１３３同士が重なった部分である重なり部１５０の断面は、図５に示すように第１の導電層と第２の導電層とが絶縁層１５１を介して、電気絶縁される構成となっている。
【００３８】
また、同様に第２駆動回路１２２はフレキシブル配線基板１１２上に設けられており、導電層１３２によって、発光素子１０２のそれぞれに対応して設けられ、オンオフすることによりそれぞれの発光素子１０２の点滅などの発光を制御するＴＦＴ素子１２３と、導電層１３２で接続されている。第２駆動回路１２２はＴＦＴ素子１２３のオンオフを制御するための信号を、この導電層１３２を介してＴＦＴ素子１２３に入力する。
【００３９】
また、導電層１３４は、発光素子１０２と対応するＴＦＴ素子１２３との間を導通するために設けられており、発光素子１０２と対応するＴＦＴ素子１２３との間の導電層１３３の一部は前述の重なり部を有するようになっている。
【００４０】
以上のように構成される露光ヘッド１００における発光素子１０２の点滅制御のためのデータ処理について説明する。図６は本発明の実施の形態に係る露光ヘッドのブロック構成の概略を示す図であり、図７は本発明の実施の形態に係る露光ヘッドにおけるデータ処理の流れを示す図である。本実施形態においては画像形成するためのラスターデータを生成する構成は、露光ヘッド１００部以外の画像コントローラ１１０に委ねられている。
【００４１】
まず、ステップＳ１００では、画像コントローラ１１０で１ライン分のラスターデータを生成する。１ライン分のデータとは、露光ヘッド１００の第１方向一本分のデータである。
【００４２】
次のステップＳ１０１においては、発光素子行１０５（第１行分、第２行分）毎にデータを分配する。
【００４３】
次のステップＳ１０２では、分配されたデータを第１の方向の並びに従って順次駆動回路１及び駆動回路２のそれぞれのメモリ部に送出する。
ステップＳ１０３では、第１駆動回路１２１の第１メモリ部に記憶される奇数番用データに基づいてＴＦＴ素子を駆動し発光素子の発光を制御する。
【００４４】
ステップＳ１０４では、第１駆動回路１２１の第１メモリ部に記憶される奇数番号データに基づいてＴＦＴ素子を駆動し発光素子の発光を制御する。
【００４５】
ステップＳ１０５では、第２駆動回路１２２の第２メモリ部に記憶される奇数番号データに基づいてＴＦＴ素子を駆動し発光素子の発光を制御する。
【００４６】
ステップＳ１０６では、第２駆動回路１２２の第２メモリ部に記憶される偶数番号データに基づいてＴＦＴ素子を駆動し発光素子の発光を制御する。
【００４７】
このような実施形態によれば、データの入れ替え処理や反転処理が不要となるので、画像形成処理を速く実行することが可能となる。
【００４８】
ここで、各駆動回路中のメモリ部と、発光素子の発光制御との関係について説明する。図８は本発明の実施の形態に係る露光ヘッドにおける発光素子と発光制御データとの関連を模式的に示す図であり、図９は本発明の実施の形態に係る露光ヘッドにおける駆動回路メモリ部のデータ格納を模式的に示す図である。
【００４９】
本発明に係る露光ヘッドは、負の光学倍率を有する結像光学系を用い、発光素子の倒立像を形成するものである。そこで、結像光学系が倒立像を形成する点を鑑みて、発光素子を発光させなければならない。従来、このような発光素子の点滅制御を行うために、専用のハードウエアによって、データの順番を一部入れ替える処理を行ったり、データの一部を反転する処理を行ったりする必要があった。
【００５０】
一方、本発明の露光ヘッドにおいては、図８及び図９に示すように、メモリ部の発光素子の点滅制御用データの順序を入れ替えたり、反転させたりすることなくそのままＴＦＴ素子に送出することによって、ＴＦＴ素子のオンオフ制御を行うことができるようになった。このような効果は、導電層同士が重なった部分である重なり部１５０を設けることによって、メモリのデータ格納順に沿った形で、発光素子とＴＦＴ素子とを電気配線することができるようになった故に得ることができるものである。
【００５１】
以上のように、本実施形態によれば、負の光学倍率を有する結像光学系を用い、発光素子の倒立像を形成する露光ヘッド１００でも、露光ヘッド１００で扱うデータの順番を一部入れ替える処理を行ったり、データの一部を反転する処理を行ったりする必要がなく、このため、これらの処理を実行するためのハードウエアが不要となる。また、上記のようなデータの入れ替え処理や反転処理が不要となるので、これらの処理を行うための回路部品などのコストを削減することが可能となる。また、記のようなデータの入れ替え処理や反転処理が不要となるので、これら処理に要する時間を省略することができることとなり、スループットが向上することとなる。
【００５２】
次に、露光ヘッドの他の実施形態について説明する。図１０は本発明の他の実施の形態に係る露光ヘッドのブロック構成の概略を示す図であり、図１１は本発明の他の実施の形態に係る露光ヘッドにおけるデータ処理の流れを示す図である。本実施形態においては画像形成するためのラスターデータを生成する構成は、露光ヘッド１００部内のラスターデータ生成回路１１７に委ねられている。
【００５３】
まず、ステップＳ２００では、露光ヘッド１００部に画像データが入力されると、データ分配回路によって、発光素子行毎にデータ分配がなされる。
【００５４】
続いて、ステップＳ２０１では、分配されたデータに基づいて、ラスターデータ生成回路１１７がラスターデータを生成する。
【００５５】
次のステップＳ２０２では、生成されたラスターデータを第１の方向の並びに従って順次駆動回路１及び駆動回路２のそれぞれのメモリ部に送出する。
ステップＳ２０３では、第１駆動回路１２１の第１メモリ部に記憶される奇数番用データに基づいてＴＦＴ素子を駆動し発光素子の発光を制御する。
【００５６】
ステップＳ２０４では、第１駆動回路１２１の第１メモリ部に記憶される奇数番号データに基づいてＴＦＴ素子を駆動し発光素子の発光を制御する。
【００５７】
ステップＳ２０５では、第２駆動回路１２２の第２メモリ部に記憶される奇数番号データに基づいてＴＦＴ素子を駆動し発光素子の発光を制御する。
【００５８】
ステップＳ２０６では、第２駆動回路１２２の第２メモリ部に記憶される偶数番号データに基づいてＴＦＴ素子を駆動し発光素子の発光を制御する。
【００５９】
このような実施形態によれば、データの入れ替え処理や反転処理が不要となるので、画像形成処理を速く実行することが可能となる。
【００６０】
次に本発明の他の実施形態について説明する。図１２は本発明の他の実施の形態に係る露光ヘッドにおける素子間の導電層を示す図である。本実施形態において、先の実施形態と同じ参照番号が付された構成については同様の構成を示すものである。
先の実施形態においては、重なり部１５０はＴＦＴ素子１２３と発光素子１０２との間に設けられていたが、本実施形態においては重なり部１５０が駆動回路とＴＦＴ素子との間に設けられる構成となっている。このような構成によっても、露光ヘッドで扱うデータの順番を一部入れ替える処理を行ったり、データの一部を反転する処理を行ったりする必要がなく、これらの処理を実行するためのハードウエアが不要となり、コスト低減を図ることができる。
【００６１】
次に、本発明の露光ヘッドを搭載した画像形成装置の概略について説明する。なお、以下、画像形成装置として、液体現像剤を用いた湿式のものを例にとり説明するが、本発明の露光ヘッドは乾式のものにも当然ながら用いることが可能である。図１３は本発明の実施の形態に露光ヘッドを用いた画像形成装置を構成する主要構成要素を示した図である。画像形成装置の中央部に配置された各色の画像形成部に対し、現像装置３０Ｙ、３０Ｍ、３０Ｃ、３０Ｋは、画像形成装置の下部に配置され、中間転写体４０、２次転写部（２次転写ユニット）６０は、画像形成装置の上部に配置されている。
【００６２】
画像形成部は、像担持体１０Ｙ、１０Ｍ、１０Ｃ、１０Ｋ、コロナ帯電器１１Ｙ、１１Ｍ、１１Ｃ、１１Ｋ、露光ヘッド１００Ｙ、１００Ｍ、１００Ｃ、１００Ｋ等を備えている。コロナ帯電器１１Ｙ、１１Ｍ、１１Ｃ、１１Ｋにより、像担持体１０Ｙ、１０Ｍ、１０Ｃ、１０Ｋを一様に帯電させ、露光ヘッド１００Ｙ、１００Ｍ、１００Ｃ、１００Ｋにより、入力された画像信号に基づいて、帯電された像担持体１０Ｙ、１０Ｍ、１０Ｃ、１０Ｋ上に静電潜像を形成する。
【００６３】
現像装置３０Ｙ、３０Ｍ、３０Ｃ、３０Ｋは、概略、現像ローラ２０Ｙ、２０Ｍ、２０Ｃ、２０Ｋ、イエロー（Ｙ）、マゼンタ（Ｍ）、シアン（Ｃ）、ブラック（Ｋ）からなる各色の液体現像剤を貯蔵する現像剤容器（リザーバ）３１Ｙ、３１Ｍ、３１Ｃ、３１Ｋ、これら各色の液体現像剤を現像剤容器３１Ｙ、３１Ｍ、３１Ｃ、３１Ｋから現像ローラ２０Ｙ、２０Ｍ、２０Ｃ、２０Ｋに塗布する塗布ローラであるアニロックスローラ３２Ｙ、３２Ｍ、３２Ｃ、３２Ｋ等を備え、各色の液体現像剤により像担持体１０Ｙ、１０Ｍ、１０Ｃ、１０Ｋ上に形成された静電潜像を現像する。
【００６４】
中間転写体４０は、エンドレスのベルトであり、駆動ローラ４１とテンションローラ４２、５２、５３に張架され、一次転写部５０Ｙ、５０Ｍ、５０Ｃ、５０Ｋで像担持体１０Ｙ、１０Ｍ、１０Ｃ、１０Ｋと当接しながら駆動ローラ４１により回転駆動される。一次転写部５０Ｙ、５０Ｍ、５０Ｃ、５０Ｋは、像担持体１０Ｙ、１０Ｍ、１０Ｃ、１０Ｋと中間転写体４０を挟んで一次転写ローラ５１Ｙ、５１Ｍ、５１Ｃ、５１Ｋが対向配置され、像担持体１０Ｙ、１０Ｍ、１０Ｃ、１０Ｋとの当接位置を転写位置として、現像された像担持体１０Ｙ、１０Ｍ、１０Ｃ、１０Ｋ上の各色のトナー像を中間転写体４０上に順次重ねて転写し、フルカラーのトナー像を形成する。
【００６５】
２次転写ユニット６０は、２次転写ローラ６１が中間転写体４０を挟んでベルト駆動ローラ４１と対向配置され、さらに２次転写ローラクリーニングブレード６２からなるクリ
ーニング装置が配置される。そして、２次転写ローラ６１を配置した転写位置において、中間転写体４０上に形成された単色のトナー像やフルカラーのトナー像をシート材搬送経路Ｌにて搬送される用紙、フィルム、布等の記録媒体に転写する。
【００６６】
さらに、経路シート材搬送経路Ｌの下流には、不図示の定着ユニットが配置され、用紙等の記録媒体上に転写された単色のトナー像やフルカラーのトナー像を用紙等の記録媒体に融着させ定着させる。
【００６７】
また、テンションローラ４２は、ベルト駆動ローラ４１と共に中間転写体４０を張架しており、中間転写体４０のテンションローラ４２に張架されている箇所で、中間転写体クリーニングローラ４６からなるクリーニング装置が当接・配置されている。
【００６８】
以上、本発明に係る露光ヘッドによれば、負の光学倍率を有する結像光学系を用い、発光素子の倒立像を形成する露光ヘッドでも、露光ヘッドで扱うデータの順番を一部入れ替える処理を行ったり、データの一部を反転する処理を行ったりする必要がなく、このため、これらの処理を実行するためのハードウエアが不要となる。
【００６９】
また、本発明に係る露光ヘッドによれば、上記のようなデータの入れ替え処理や反転処理が不要となるので、これらの処理を行うための回路部品などのコストを削減することが可能となる。
【００７０】
また、本発明に係る露光ヘッドによれば、上記のようなデータの入れ替え処理や反転処理が不要となるので、これら処理に要する時間を省略することができることとなり、スループットが向上する。
【００７１】
また、本発明に係る画像形成装置によれば、上記のようなデータの入れ替え処理や反転処理が不要となるので、これらの処理を実行するためのハードウエアが不要となり、コストの削減が可能となる。
【００７２】
また、本発明に係る画像形成装置によれば、上記のようなデータの入れ替え処理や反転処理が不要となるので、これら処理に要する時間を省略することができ、印刷速度を向上させることが可能となる。
【００７３】
本発明に係る画像形成方法によれば、上記のようなデータの入れ替え処理や反転処理が不要となるので、画像形成処理を速く実行することが可能となる。
【００７４】
なお、本明細書においては、種々の実施の形態について説明したが、それぞれの実施の形態の構成を適宜組み合わせて構成された実施形態も本発明の範疇となるものである。
【図面の簡単な説明】
【００７５】
【図１】本発明の実施の形態に係る露光ヘッドの断面を示す図である。
【図２】本発明の実施の形態に係る露光ヘッドにおける発光素子等のレイアウトを示す図である。
【図３】負の光学倍率を有する結像光学系による露光を説明する図である。
【図４】本発明の実施の形態に係る露光ヘッドにおける素子間の導電層を示す図である。
【図５】本発明の実施の形態に係る露光ヘッドにおける重なり部断面を示す図である。
【図６】本発明の実施の形態に係る露光ヘッドのブロック構成の概略を示す図である。
【図７】本発明の実施の形態に係る露光ヘッドにおけるデータ処理の流れを示す図である。
【図８】本発明の実施の形態に係る露光ヘッドにおける発光素子と発光制御データとの関連を模式的に示す図である。
【図９】本発明の実施の形態に係る露光ヘッドにおける駆動回路メモリ部のデータ格納を模式的に示す図である。
【図１０】本発明の他の実施の形態に係る露光ヘッドのブロック構成の概略を示す図である。
【図１１】本発明の他の実施の形態に係る露光ヘッドにおけるデータ処理の流れを示す図である。
【図１２】本発明の他の実施の形態に係る露光ヘッドにおける素子間の導電層を示す図である。
【図１３】本発明の実施の形態に露光ヘッドを用いた画像形成装置を構成する主要構成要素を示した図である。
【符号の説明】
【００７６】
１０Ｙ、１０Ｍ、１０Ｃ、１０Ｋ・・・像担持体、１１Ｙ、１１Ｍ、１１Ｃ、１１Ｋ・・・コロナ帯電器、２０Ｙ、２０Ｍ、２０Ｃ、２０Ｋ・・・現像ローラ、３０Ｙ、３０Ｍ、３０Ｃ、３０Ｋ・・・現像装置、３１Ｙ、３１Ｍ、３１Ｃ、３１Ｋ・・・現像剤容器、３２Ｙ、３２Ｍ、３２Ｃ、３２Ｋ・・・アニロックスローラ、３１Ｙ、３１Ｍ、３１Ｃ、３１Ｋ・・・現像剤容器、４０・・・中間転写体、４１・・・ベルト駆動ローラ、４２・・・テンションローラ、４６・・・中間転写体クリーニングローラ、５０Ｙ、５０Ｍ、５０Ｃ、５０Ｋ・・・一次転写部、５１Ｙ、５１Ｍ、５１Ｃ、５１Ｋ・・・一次転写バックアップローラ、５２、５３・・・テンションローラ、６０・・・２次転写ユニット、６１・・・２次転写ローラ、６２・・・２次転写ローラクリーニングブレード、１００、１００Ｙ、１００Ｍ、１００Ｃ、１００Ｋ・・・露光ヘッド、１０１・・・発光素子基板、１０２・・・発光素子、１０３・・・発光素子グループ、１０４・・・結像光学系、１０５・・・発光素子行、１０６・・・結像光学系行、１０８・・・結像スポット、１１０・・・結像レンズ、１１１、１１２・・・フレキシブル配線基板、１２１・・・第１駆動回路、１２２・・・第２駆動回路、１２３・・・ＴＦＴ素子、１３１、１３２、１３３、１３４・・・導電層、１４１・・・電源線、１４２・・・制御線、１５０・・・重なり部、１５１・・・絶縁層
【図１】
2010017907.tif 000003
【図２】
2010017907.tif 000004
【図３】
2010017907.tif 000005
【図４】
2010017907.tif 000006
【図５】
2010017907.tif 000007
【図６】
2010017907.tif 000008
【図７】
2010017907.tif 000009
【図８】
2010017907.tif 000010
【図９】
2010017907.tif 000011
【図１０】
2010017907.tif 000012
【図１１】
2010017907.tif 000013
【図１２】
2010017907.tif 000014
【図１３】
2010017907.tif 000015